(57)【要約】      （修正有）【課題】場所打ち鉄筋コンクリート梁の施工を容易に行うことができる横締付け金具を提供する。【解決手段】鉄筋枠の周りに梁型枠を設置した後、その内部にコンクリートを打設して鉄筋コンクリート梁を構築するに際し、先ず、３枚の型枠パネル４ａ，４ｂ，４ｃの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠５と、を具えてなる梁型枠ユニット１を予め組み上げ、その組み上がった梁型枠ユニットをそのまま上昇させて前記鉄筋枠に対し下方から組み合わせることにより、前記鉄筋枠への前記梁型枠の配設を行うことで、場所打ち鉄筋コンクリート梁を施工する。【選択図】図３
2010281119.tif 000002
【特許請求の範囲】
【請求項１】
鉄筋コンクリート梁を構築するのに用いられる梁型枠ユニットにおいて、
３枚の型枠パネルの各々の外面にその長手方向の全長に亘り複数本の横桟木を横並びに固定するとともにそれらの型枠パネルを溝形に組み合わせて構成した横桟木付き型枠パネル組と、
前記横桟木付き型枠パネル組の長手方向複数個所を位置決めするとともに両側方から締め付けて梁型枠を形成する、各々上向きに開いたコ字状をなす複数の伸縮型横締付け枠と、を具えてなり、
前記横締付け枠は、前記横桟木付き型枠パネル組のうち底部の型枠パネルに沿って配置される１本の横接続パイプと、前記横桟木付き型枠パネル組のうち両側部の型枠パネルに沿ってそれぞれ配置される２本の縦接続パイプとの３本の接続パイプと、両端部が前記縦接続パイプと前記横接続パイプとにそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニット。
【請求項２】
前記横締付け枠の前記接続パイプおよび前記直角エルボは、角形パイプもしくは円形パイプからなることを特徴とする、請求項１記載の梁型枠ユニット。
【請求項３】
前記接続パイプ内には、その接続パイプ内で対向する前記直角エルボの端部同士の間に介在する梁幅規制用パイプもしくはコイルスプリングを嵌挿することを特徴とする、請求項１記載の梁型枠ユニット。
【請求項４】
前記直角エルボはそのコーナー部に、互いに直交する向きに配設する前記縦通し棒および前記横通し棒用の通孔を有することを特徴とする、請求項１記載の梁型枠ユニット。
【請求項５】
３枚の型枠パネルの各々の外面にその長手方向の全長に亘り複数本の横桟木を横並びに固定するとともにそれらの型枠パネルを溝形に組み合わせて構成した横桟木付き型枠パネル組の長手方向複数個所の各々を位置決めするとともに両側方から締め付けて梁型枠を形成する、上向きに開いたコ字状をなす伸縮型横締付け枠において、
前記横桟木付き型枠パネル組のうち底部の型枠パネルに沿って配置される１本の横接続パイプと、前記横桟木付き型枠パネル組のうち両側部の型枠パネルに沿ってそれぞれ配置される２本の縦接続パイプとの３本の接続パイプと、
両端部が前記縦接続パイプと前記横接続パイプとにそれぞれ抜き差し自在に嵌合され、前記横締付け枠の各コーナー部を構成するように互いに対向する２個の直角エルボと、
それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、
それらの通し棒に取り付けられた締付けナットと、を有し、
前記梁型枠の大きさに応じて前記締付けナットの締付け位置を変更することにより前記直角エルボと前記接続パイプとの嵌合長さを調整できることを特徴とする、梁型枠ユニット用横締付け枠。
【請求項６】
前記横締付け枠の前記接続パイプおよび前記直角エルボは、角形パイプもしくは円形パイプからなることを特徴とする、請求項５記載の梁型枠ユニット用横締付け枠。
【請求項７】
前記接続パイプ内には、その接続パイプ内で対向する前記直角エルボの端部同士の間に介在する梁幅規制用パイプもしくはコイルスプリングを嵌挿することを特徴とする、請求項５記載の柱型枠ユニット用横締付け枠。
【請求項８】
前記直角エルボはそのコーナー部に、互いに直交する向きに配設する前記縦通し棒および前記横通し棒用の通孔を有することを特徴とする、請求項５記載の梁型枠ユニット用横締付け枠。
【請求項９】
鉄筋枠の周りに梁型枠を設置した後、その内部にコンクリートを打設して鉄筋コンクリート梁を構築する方法において、
先ず、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなる梁型枠ユニットを予め組み上げ、
その組み上がった梁型枠ユニットをそのまま上昇させて前記鉄筋枠に対し下方から組み合わせることにより、前記鉄筋枠への前記梁型枠の配設を行うことを特徴とする、場所打ち鉄筋コンクリート梁の施工方法。
【請求項１０】
前記横締付け枠は、
前記横桟木付き型枠パネル組のうち底部の型枠パネルに沿って配置される１本の横接続パイプと、前記横桟木付き型枠パネル組のうち両側部の型枠パネルに沿ってそれぞれ配置される２本の縦接続パイプとの３本の接続パイプと、
両端部が前記縦接続パイプと前記横接続パイプとにそれぞれ抜き差し自在に嵌合され、前記横締付け枠の各コーナー部を構成するように互いに対向する２個の直角エルボと、
それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、
それらの通し棒に取り付けられた締付けナットと、を有し、
前記梁型枠の大きさに応じて前記締付けナットの締付け位置を変更することにより前記直角エルボと前記接続パイプとの嵌合長さを調整できることを特徴とする、請求項９記載の場所打ち鉄筋コンクリート梁の施工方法。
【発明の詳細な説明】
【技術分野】
【０００１】
本発明は、梁型枠ユニット、梁型枠ユニット用横締付け枠および場所打ち鉄筋コンクリート梁の施工方法に関し、特に、建設現場において配筋された鉄筋枠のまわりにコンクリートを打設して施工する場所打ち鉄筋コンクリート梁に関連する技術を提案するものである。
【背景技術】
【０００２】
従来から、大型の建築物や橋梁等の土木構築物を施工するに当たっては、場所打ち鉄筋コンクリート梁やプレキャストコンクリート梁が用いられる。このうち、プレキャストコンクリート梁は、規格化された製品を工場にて多量に製造するものである。このため、品質が一定であるという利点はあるものの、トラック等の輸送手段で建設現場まで搬送しなればならないので、その大きさが制限され、特に大型の構築物には馴染まなかった。
【０００３】
この一方、場所打ち鉄筋コンクリート梁は一般に、鉄筋コンクリート梁の主要部となる複数本の主筋の周囲にスパイラル筋（フープ筋）を溶接して長方形断面の梁状の鉄筋枠を構築し、この鉄筋枠を被設置部に横架し、この鉄筋枠の周りに梁型枠を配置して固定した後、この梁型枠の内部にコンクリートを打設することによって構築するものである。このため、建設現場で施工するので輸送制限がなく、大きな構築物を建てるために利用されている。
【０００４】
かかる鉄筋コンクリート梁を現場で施工する場合、従来は先ず、横向きの直方体を形作るように柱の間に横架した複数本の主筋（鉄筋）の周りにフープ筋を設けて角形梁状の鉄筋枠を構築し、その一方、コンクリートの荷重を受けるための３枚の型枠パネルの外面にその長手方向の全長に亘るトラスと呼ばれる横桟木を複数本横並びに固定し、次いで、上記鉄筋枠の周りにこの３枚の型枠パネルを溝形に配設（建て込み）するとともに、互いに対向する２枚の側部型枠パネル同士の間をセパレータによって結合して所定の間隔に保持する。その後、この溝形に組まれた横桟木付き型枠パネルの長手方向の複数個所でそれぞれ、横桟木に両側方から縦バタ材を宛がうとともに下方から横バタ材を宛がい、縦バタ材の下端部同士を横バタ材で連結し、縦バタ材同士を上記セパレータで締め付けて、３枚の型枠パネルを溝形の枠状に固定する。
【０００５】
しかしながら、上述した従来の梁型枠体およびこれを用いた鉄筋コンクリート梁の施工方法には以下のような問題点があった。すなわち、３枚の型枠パネルによって形成されるコンクリート打設空間内に鉄筋枠を横切るようにセパレータを配設するので、施工の作業性が悪かった。また、梁型枠内を横切るようにセパレータを配設するので、梁の構築位置に組み立てられた鉄筋枠に対し梁型枠体を下方から持ち上げて組み合わせようとするとセパレータが邪魔になってその作業ができなかった。従って、従来の梁型枠の施工に当たっては、型枠パネルを鉄筋枠の下方および両側方に順次に配置して組み立ててゆく必要があるため工数が嵩み、このことはまた、梁鉄筋の組み立て作業と梁型枠体の組み立て作業とを同時に行うことを妨げるため、工期短縮の障害になっていた。
【０００６】
しかも、設置した型枠パネル内に多数のセパレータを組み込む際には、主筋やフープ筋の間を縫うように挿入する必要があり、セパレータの取り付けに熟練技術を要するという問題もあった。
【０００７】
従来技術のこのような問題に対し、その不便を解決するものとして、特許文献１および特許文献２に開示されているような梁型枠体が提案されており、これらの文献に開示されている梁型枠体は、いずれも床スラブ付き場所打ちコンクリート梁用の梁型枠体に関する提案を行うものである。
【０００８】
特許文献１記載の梁型枠体は、支保工でそれぞれ支持されて梁の施工位置の両側下方で梁の長手方向へ延在する大引き上でその長手方向の複数個所にそれぞれ大引きと直交するように横架材を水平に固定し、各横架材上の、梁の施工位置の両側に二本の横バタ材を横架材に沿って移動可能に固定し、それらの横バタ材の内方端部の上方にそれぞれ配置した二本の縦バタ材の下端部をそれらの横バタ材に枢軸で、梁の施工位置に対する接近・離間方向へ揺動可能に枢支し、各縦バタ材とそれを枢支する横バタ材との間に伸縮自在な止め金具を斜めに張り渡して各縦バタ材の揺動角度を調整可能にし、上記横架材と二本の縦バタ材とで上向きに開いたコ字状の横締付け枠を構成する。そして大引き上の上記複数個所の横締付け枠間に跨るように、コンクリートの荷重を受けるための３枚の型枠パネルをそれらの横締付け枠内で溝形に配設し、それら３枚の型枠パネルの外面にその長手方向の全長に亘り複数本横並びに固定した横桟木を上記横締付け枠の横架材と縦バタ材とに取り付けることで、３枚の型枠パネルを溝形の枠状に固定する。この梁型枠体は、梁型枠内を横切るセパレータがないので、鉄筋枠に対し下方から支保工で持ち上げて組み合わせることができ、梁型枠内に打設したコンクリートの硬化後は、二本の横バタ材を横架材上で互いに離間する方向へ移動させるとともに梁型枠体全体を支保工で降下させることで、容易にコンクリート梁を梁型枠体から脱型させることができる。
【０００９】
また、特許文献２記載の梁型枠体は、コンクリートの荷重を受けるための３枚の型枠パネルを溝形に配設し、それらの型枠パネルの外面にその長手方向の全長に亘り複数本横並びに固定した横桟木の長手方向の複数個所にそれぞれ、両側方の縦桟木および下方の横桟木を宛がい、横桟木に二本の横材をそれぞれ枢軸により上下方向揺動可能に枢支し、両側方の縦桟木の下端部を二本の横材にそれぞれ直角に結合し、それらの横材の枢軸の上側にそれらの横材に亘って貫通する長尺ボルトを設ける。そしてその長尺ボルトで二本の横材を互いの接近方向へ締め付けることで両側方の縦桟木を締め付けて、３枚の型枠パネルを溝形の枠状に固定する。この梁型枠体も、梁型枠内を横切るセパレータがないので、鉄筋枠に対し下方から支保工で持ち上げて組み合わせることができ、梁型枠内に打設したコンクリートの硬化後は、長尺ボルトを緩めて二本の可動横材を互いに離間する方向へ揺動させるとともに梁型枠体全体を支保工で降下させることで、容易にコンクリート梁を梁型枠体から脱型させることができる。
【先行技術文献】
【特許文献】
【００１０】
【特許文献１】特開２００２−３６４１７０号公報
【特許文献２】特開２００８−２６１１４２号公報
【発明の開示】
【発明が解決しようとする課題】
【００１１】
しかしながらこれら文献１，２に記載された技術は、両側方の縦桟木が可動横材や横桟木で枢支されていて、何れも縦桟木が互いの接近・離間方向へ揺動可能な構造となっているため、型枠成形時の丁張り（直角出し、垂直・水平出し）に当たり、作業に時間がかかり、正確な建込み（組み立て固定）が難しく、工数もかかるという問題があった。
【００１２】
また、文献１に記載された技術は、可動横材を移動させ得る範囲が小さく、その移動は単に脱型時に必要となる弛緩や締付け時の微調整を行うためのものであって、架設する梁の種々の太さ（６００×８００ｍｍ、９００×１２００ｍｍ等）に対応できる程に大きく伸縮する構造にはなっていない。
【００１３】
一方、文献２に記載された技術は、横材の枢軸を挿通する孔を複数設けることで、横材を移動させ得る範囲がある程度大きくなっているものの、架設する梁の太さを変更する際には、梁の太さに応じて横材の枢軸の挿通孔を変更する必要があって手間がかかるとともに、梁の太さがその枢軸を挿通する孔の位置で規制されて微調整ができないという問題があった。
【００１４】
それゆえ本発明の目的は、場所打ち鉄筋コンクリート梁の施工を容易に行うことができる他、梁型枠の建込みを正確、迅速に果すことができ、さらにコンクリート梁の太さが変わっても１種類の横締付け金具で対応することができるとともに、丁張り（直角出し、垂直・水平出し）を正確に行うことができるようにすることにある。
【課題を解決するための手段】
【００１５】
本発明者は、上述した従来技術の問題点を克服することができ、かつ上記目的を確実に実現することができる技術について鋭意研究を行った結果、その有効な技術として下記の要旨構成に係る本発明に想到した。
【００１６】
即ち、本発明は、鉄筋コンクリート梁を構築するのに用いられる梁型枠ユニットにおいて、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなり、前記横締付け枠は、前記横桟木付き型枠パネル組のうち底部の型枠パネルに沿って配置される１本の横接続パイプと、前記横桟木付き型枠パネル組のうち両側部の型枠パネルに沿ってそれぞれ配置される２本の縦接続パイプとの３本の接続パイプと、両端部が前記縦接続パイプと前記横接続パイプとにそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニットを提案する。
【００１７】
また、本発明は、３枚の型枠パネルの各々の外面にその長手方向の全長に亘り複数本の横桟木を横並びに固定するとともにそれらの型枠パネルを溝形に組み合わせて構成した横桟木付き型枠パネル組の長手方向複数個所の各々を位置決めするとともに両側方から締め付けて梁型枠を形成する、上向きに開いたコ字状をなす伸縮型横締付け枠において、前記横桟木付き型枠パネル組のうち底部の型枠パネルに沿って配置される１本の横接続パイプと、前記横桟木付き型枠パネル組のうち両側部の型枠パネルに沿ってそれぞれ配置される２本の縦接続パイプとの３本の接続パイプと、両端部が前記縦接続パイプと前記横接続パイプとにそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニット用横締付け枠を提案する。
【００１８】
さらに、本発明は、鉄筋枠の周りに梁型枠を設置した後、その内部にコンクリートを打設して鉄筋コンクリート梁を構築する方法において、先ず、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなる梁型枠ユニットを予め組み上げ、その組み上がった梁型枠ユニットをそのまま上昇させて前記鉄筋枠に対し下方から組み合わせることにより、前記鉄筋枠への前記梁型枠の配設を行うことを特徴とする、場所打ち鉄筋コンクリート梁の施工方法を提案する。
【００１９】
なお、本発明においては、
（１）前記横締付け枠の前記接続パイプおよび前記直角エルボは、角形パイプもしくは円形パイプからなること、
（２）前記接続パイプ内には、その接続パイプ内で対向する前記直角エルボの端部同士の間に介在する梁幅規制用のパイプもしくはコイルスプリングを嵌挿すること、
（３）前記直角エルボはそのコーナー部に、互いに直交する向きに配設する前記縦通し棒および前記横通し棒用の通孔を有すること、
が好ましい。
【発明の効果】
【００２０】
（１）本発明に係る梁型枠ユニットによれば、梁型枠の建込み（組み立て固定）作業が迅速にできると共に、正確な丁張り（直角出し、垂直・水平出し）ができ、しかも堅固な梁型枠を提供することができる。さらに、現場での鉄筋枠の組筋作業とは別に、梁型枠の組み立て作業のみを工場等において先行させておくこともできるから、現場作業の軽減および工期の短縮にも寄与する。
【００２１】
（２）本発明の横締付け枠によれば、太さの異なる多種類の鉄筋コンクリート梁のいずれにも容易に適用できるので、複数種類の横締付け枠を準備する必要がなく、単に１種類のものを用意すれば足りるから、部品の在庫管理が軽減され、コスト的にも有利である。
【００２２】
（３）また、本発明の横締付け枠によれば、接続パイプと直角エルボとの組み合わせにより上向きに開いたコ字状をなすから、接続パイプと直角エルボとの嵌合部分がコーナー部でなく水平部および垂直部（型枠パネルの中寄り）に位置するので、丁張り、特に直角出しが正確にでき、しかも梁型枠の構築作業が容易になり熟練を必要としない。
【００２３】
（４）さらに、本発明の横締付け枠によれば、接続パイプおよび直角エルボを、好ましいくは角形パイプからなるものとし、抜き差し自在に嵌合させているので、接続状態に緩みが生じにくく、梁型枠ユニットとしての形状安定性に優れ、鉄筋コンクリート梁を正確に架設することができる。
【００２４】
（５）そして本発明の場所打ち鉄筋コンクリート梁の施工方法によれば、梁型枠ユニットにセパレータを取付けていないので、鉄筋枠への梁型枠の配設を、鉄筋枠に対して梁型枠ユニットを上昇させて組み合わせるたけで行えるから、この作業を短時間のうちに完了することができ、工期の短縮に効果があるとともにコストの点でも有利である。
【図面の簡単な説明】
【００２５】
【図１】本発明の梁型枠ユニットの一実施例の部分横断面図である。
【図２】上記実施例の梁型枠ユニットが具える、本発明の伸縮型横締付け枠の一実施例を横倒しの状態で示す分解斜視図である。
【図３】上記実施例の梁型枠ユニットを用いた、本発明の鉄筋コンクリート梁の施工方法の一実施例を説明する部分横断面図である。
【図４】施工後の鉄筋コンクリート梁を上記実施例の梁型枠ユニットから脱型させる方法を示す説明図である。
【発明を実施するための形態】
【００２６】
以下、本発明の実施の形態を実施例によって、図面に基づき詳細に説明する。ここに、図１は、本発明の一実施例の溝形の梁型枠ユニット１の組み立て状態における垂直横断面を示すものである。この実施例の梁型枠ユニット１は、垂直横断面が長方形の鉄筋コンクリート梁を形成するためのものであって、底部の型枠パネル２ａと両側部の型枠パネル２ｂ，２ｃとの３枚の型枠パネルの各々の外面にその長手方向に沿って型枠パネル２ａ〜２ｃの全長に亘り例えばバタ材からなる横桟木３を互いに横並びに複数本配置し型枠パネル２ａ〜２ｃに釘打ち固定して横桟木付き型枠パネル４ａ〜４ｃを形成し、それら横桟木付き型枠パネル４ａ〜４ｃを、鉄筋コンクリート梁の主要部となる複数本の主筋の周囲にスパイラル筋（フープ筋）を溶接して構築した長方形断面の梁状の図示しない鉄筋枠を囲むように溝形に配設して構成した横桟木付き型枠パネル組４を具えている。
【００２７】
またこの実施例の梁型枠ユニット１は、上記の溝形に組み立てられた横桟木付き型枠パネル組４の長手方向の複数個所を外側の両側方および下方から位置決めするとともに両側方から締め付けて溝形の梁型枠を形成する、各々上向きに開いたコ字状をなす複数の伸縮型横締付け枠５を具えている。
【００２８】
すなわち、本実施例の梁型枠ユニット１の特徴は、コンクリート打設時の内圧による上記横桟木付き型枠パネル組４の膨らみを効果的に防止するために、横桟木付き型枠パネル組４の長手方向の複数個所に概略所定の間隔をおいてそれぞれ配設され、横桟木付き型枠パネル組４の外側を両側方および下方の三方から囲む上記横締付け枠５の、以下に説明する構成にある。
【００２９】
この横締付け枠５は、横桟木付き型枠パネル組４の３枚の横桟木付き型枠パネル４ａ〜４ｃを溝形に組み合わせ、その状態を保持するために用いるものであって、図２の分解斜視図に示すように、横桟木付き型枠パネル組４のうち底部の横桟木付き型枠パネル４ａに沿って配置される１本の横接続パイプ６ａと、横桟木付き型枠パネル組４のうち両側部の横桟木付き型枠パネル４ｂ，４ｃに沿ってそれぞれ配置される２本の縦接続パイプ６ｂとの３本の接続パイプ６と、両腕部が上記縦接続パイプ６ｂと上記横接続パイプ６ａとにそれぞれ抜き差し自在に嵌挿され、該横締付け枠５の各コーナー部を構成するように互いに対向する２個のＬ字形のコーナー部材即ち直角エルボ７と、によって、図１に示すように上向きに開いたコ字状をなす枠体を形作るものである。
【００３０】
この横締付け枠５は、各接続パイプ６内に嵌挿する直角エルボ７の嵌め込み深さ、即ち接続パイプ６と直角エルボ７との嵌合長さを調節することにより、一辺の長さを、型枠パネル２ａ〜２ｃの大きさの変更を伴うものの、施工する鉄筋コンクリート梁の太さに自由に対応させることができ、例えば６００×８００ｍｍ、７５０×１０００ｍｍ、９００×１２００ｍｍ等の梁の何れにも使用することができるようになる。それゆえ少なくとも、接続パイプ６および直角エルボ７として、１種類のものを準備しておけば、ほとんどの鉄筋コンクリート梁の施工に対応することができ、さらに太い梁用には、接続パイプ６をより長いものに交換すれば足りる。従って、この横締付け枠５によれば、部品点数を少なくすることができるから、在庫管理が容易になる。
【００３１】
本実施例の梁型枠ユニット１では、かかる横締付け枠５において、各コーナー部を構成する一対の直角エルボ７と、これら直角エルボ７の間に位置して該直角エルボ７の一方の腕部に抜き差し可能に嵌挿された横接続パイプ６ａとにさらに、これら直角エルボ７と横接続パイプ６ａとを直線的に貫通する横通し棒８ａを嵌挿し、また各コーナー部を構成する一対の直角エルボ７と、これら直角エルボ７の他方の腕部にそれぞれ抜き差し可能に嵌挿された二本の縦接続パイプ６ｂとにもそれぞれ、その直角エルボ７と縦接続パイプ６ｂとを直線的に貫通する縦通し棒８ｂ，８ｃを、横通し棒８ａと直交する向きにねじれの位置で嵌挿して、これら横通し棒８ａと二本の縦通し棒８ｂ，８ｃとの三本の通し棒８により、直角エルボ７と接続パイプ６との一体的な組み立てを図っており、ここで各縦通し棒８ｂ，８ｃの上端部は、図１に示すように、予め縦接続パイプ６ｂの上端部内にブラケット８ｄを介して溶接固定してあり、これにより各縦通し棒８ｂ，８ｃの下端部は、縦接続パイプ６ｂの下端部から突出している。
【００３２】
なお、直角エルボ７の腕部と接続パイプ６との嵌挿によってこの両者の伸縮接続は可能となるが、さらにこれら直角エルボ７の腕部と接続パイプ６との間に上記通し棒８を貫通させることにより、その接続状態がより安定するとともに、該通し棒８の端部にワッシャ９を介して螺着した締付けナット１０で直角エルボ７を締め付けることによって、３枚の横桟木付き型枠パネル４ａ〜４ｃの溝形の組み立て状態を維持することができる。
【００３３】
さらに本実施例の梁型枠ユニット１では、上記横通し棒８ａの中央部および上記縦通し棒８ｂの上端部に、梁太さ規制用の例えば塩化ビニル製のパイプ１１または鋼製のコイルスプリング１２を挿通し（図１，３，４ではパイプ１１を示す）、これらパイプ１１またはコイルスプリング１２を、上記横接続パイプ６ａ内において対向している直角エルボ７の腕部先端間に位置させるとともに、上記縦接続パイプ６ｂ内においてブラケット８ｄと直角エルボ７の腕部先端との間に位置させて、梁型枠の幅および高さを規制する。従ってこれらパイプ１１またはコイルスプリング１２の長さは、施工する鉄筋コンクリート梁の太さ（幅および高さ）に対応するものとする。但し、これらパイプ１１およびコイルスプリング１２は本発明に必須のものではなく、例えばこれらを設ける代わりに、各通し棒８の端部に、施工する鉄筋コンクリート梁の太さに応じた締付けナット１０の締め込み位置を示すマークを設けておいて、梁型枠ユニット１の組み立て時にそのマークの位置まで締付けナット１０を締め込んでおくようにしても良い。
【００３４】
また本実施例の梁型枠ユニット１では、接続パイプ６および直角エルボ７は角筒状のパイプからなるが、本発明においてはこれに限らず、円筒状のパイプからなるものであってもよい。また直角エルボ７については、パイプでなくアルミ合金などの軽金属の中実材であってもよい。但し、この直角エルボ７は、横締付け枠５の各コーナー部を直角に維持するためのものであるから、正確に９０°の曲がり角度を有するものでなければならない。このことの故に、本実施例の横締付け枠５は、常に正確に９０°のコーナー部を有するコ字状の枠を形作ることができるようになる。
【００３５】
なお、図２に示すように、各直角エルボ７のコーナー部には、横通し棒８ａと縦通し棒８ｂ，８ｃとを互いに直交する向きにねじれの位置で差し通すための一対の通孔７ａ，７ｂが設けてある。図１に示すように、この通孔７ａ，７ｂから突出した横通し棒８ａおよび縦通し棒８ｂ，８ｃの螺設した端部に締付けナット１０を螺合させて締め付けることにより、コ字形に組み立てた横締付け枠５の最終的な組み立て形態を維持固定することができ、ひいては、溝形に組み立てた横桟木付き型枠パネル組４の最終的な組み立て形態を維持固定することができる。
【００３６】
次に、本実施例の梁型枠ユニット１の組み立て手順について説明する。先ず、準備工程として、複数本の横桟木３を互いに横並びに配置し、それらの横桟木３上に底部の型枠パネル２ａと両側部の型枠パネル２ｂ，２ｃとの３枚の型枠パネル２をそれぞれ載置してビス止めし、そのビス止め部分にコーキングを施して、底部の横桟木付き型枠パネル４ａと両側部の横桟木付き型枠パネル４ｂ，４ｃとの３枚の横桟木付き型枠パネル４ａ〜４ｃからなる横桟木付き型枠パネル組４を形成する。なお、横桟木３および角パイプ１３と上記複数本の横接続パイプ６ａとの間および、横桟木３と上記複数本の縦接続パイプ６ｂ，６ｃとの間は、締付けナット１０による締め付けで摩擦力により固定されるので、あえて固定金具等で固定しなくても良い。
【００３７】
次に、加工・地組み工程として、梁型枠ユニット１の長手方向とする方向と直行する向きで互いに略等間隔に横並びに複数本の横接続パイプ６ａを配置し、それら複数本の横接続パイプ６ａのそれぞれの内部にパイプ１１またはコイルスプリング１２を配置するとともにそれら複数本の横接続パイプ６ａのそれぞれの両端部に、２個の直角エルボ７の水平に延在する一方の腕部をそれぞれ抜き差し自在に嵌挿して連結し、次いで、それらの直角エルボ７の垂直に立った他方の腕部をパイプ１１またはコイルスプリング１２と一緒に、複数本の縦接続パイプ６ｂ，６ｃのそれぞれの下端部に抜き差し自在に嵌挿して連結することで、上向きに開いたコ字状の横締付け枠５を組み立てる作業を行う。この組み立て作業の際、パイプ１１またはコイルスプリング１２は、２個の直角エルボ７の水平に延在する腕部の一方の先端と、２個の直角エルボ７の垂直に立った腕部の先端とにそれぞれ仮固定しておくと、組み立て作業の円滑のために好ましい。なお、各縦接続パイプ６ｂ，６ｃの上端部内には予めブラケット８ｄを介して、各縦接続パイプ６ｂ，６ｃ内に挿通した縦通し棒８ｂ，８ｃの上端部を溶接により固定してあり、これにより各縦接続パイプ６ｂ，６ｃの下端部からは、縦通し棒８ｂ，８ｃの下端部が突出しているので、これらの縦通し棒８ｂ，８ｃは、図１に示すように、直角エルボ７の垂直に立った他方の腕部内に挿通して、その下端部を直角エルボ７の上記通孔７ｂから突出させる。
【００３８】
次いで、この工程では、両側部の横桟木付き型枠パネル４ｂ，４ｃを、長辺を下にして立てて両側部の型枠パネル２ｂ，２ｃ同士を内向きに対向させるとともに横桟木３を外側に突出させた状態で、上記横並びの複数本の横接続パイプ６ａ上に載置して、縦接続パイプ６ｂ，６ｃにそれらの内側から立て掛けるとともに、好ましくはそれら複数本の横接続パイプ６ａの中央部上に、図１および図２に示すように、横桟木３と同じ高さの補強用の角パイプ１３を掛け渡して載置し、その後、底部の横桟木付き型枠パネル４ａを、横桟木３を下側に突出させた状態で、両側部の横桟木付き型枠パネル４ｂ，４ｃの間に嵌め込んで上記横並びの複数本の横接続パイプ６ａ上に載置する。こうして３枚の横桟木付き型枠パネル４ａ，４ｂ，４ｃを、各コーナー部が正確に直角をなす溝形に組み立てる。
【００３９】
その後、この工程では、コ字状に組み立てた各直角エルボ７と横接続パイプ６ａとに上記通孔７ａを介して、横接続パイプ６ａ内でパイプ１１またはコイルスプリング１２を貫通するように横通し棒８ａを挿通し、そして横通し棒８ａの両端部および縦通し棒８ｂ，８ｃの下端部にそれぞれワッシャ９を介して締付けナット１０を螺合させて締め込み、梁型枠ユニット１の組み立てを完了する。
【００４０】
組み立てた梁型枠ユニット１は、例えば、横桟木付き型枠パネル組４の長手方向に、梁の長さ４５４０ｍｍに対し４５０〜１２００ｍｍ間隔で、９０ｍｍ角パイプからなる接続パイプ６を有する４〜５個の横締付け枠５を配して、底部の横桟木付き型枠パネル４ａおよび両側部の横桟木付き型枠パネル４ｂ，４ｃを位置決めするとともに、両側部の横桟木付き型枠パネル４ｂ，４ｃを締め付けている。ここで、例えば底部の横桟木付き型枠パネル４ａの一辺の長さが６００〜９００ｍｍである場合、横接続パイプ６ａの長さを約８００ｍｍ、両側部の横桟木付き型枠パネル４ｂ，４ｃの一辺の長さが９００〜１３００ｍｍである場合、縦接続パイプ６ｂ，６ｃの長さを約９００ｍｍ、直角エルボ７の腕部の長さをコーナー部を含めて縦約８００ｍｍ、横約５００ｍｍ程度とし、直角エルボ７の各腕部と接続パイプ６との嵌合長さを、直角エルボ７の各腕部の長さの約２/３以上とすると、横締付け枠５の強度上好ましい。
【００４１】
次に、本発明の一実施例の床スラブ付き場所打ち鉄筋コンクリート梁の施工方法について説明する。施工現場においては、先ず、横向きの直方体を形作るように柱の間に横架した複数本の主筋（鉄筋）の周りにフープ筋を溶接して固定して角形梁状の鉄筋枠を構築する。またこれとは別に、上述した実施例の梁型枠ユニット１を、工場において組み立てるか現場において組み立てて準備しておく。
【００４２】
そして、組み上った梁型枠ユニット１をクレーンやフォークリフト等で持ち上げて、上記鉄筋枠にその下方からそのまま上昇させて嵌め合わせた後、図１に示すように、例えば各横締付け枠５の各直角エルボ７のコーナー部を通常の伸縮式支保工１５で下方から支持することにより梁型枠の施工を行うとともに（鉄筋枠は図示せず）、好ましくは各横締付け枠５の縦接続パイプ６ｂ，６ｃの上端部に例えばバタ材からなる矩形の厚板状の補助材１４を嵌め合わせてセットしておき、次いで、通常の床スラブ用型枠パネル１５を施工して、その床スラブ用型枠パネル１５を上記各補助材１４に釘打等で接続する。なお、床スラブ用型枠パネル１５は、現場で図示しない横桟木等を組み付けて補強しても良いが、予め工場において横桟木等を組み付けてユニット化したものを現場に輸送して、所定位置に配置しても良い。
【００４３】
その後、図３に示すように、この梁型枠ユニット１内および床スラブ用型枠パネル１５上にコンクリートＣを打設する。このコンクリートＣの打設の際、この実施例の施工方法によれば、各横締付け枠５の縦接続パイプ６ｂ，６ｃの上端部を、補助材１４を介して床スラブ用型枠パネル１５に接続して位置決めしているので、コンクリートＣの圧力による各横締付け枠５の縦接続パイプ６ｂ，６ｃの上端部間の開きを、より確実に防止することができる。
【００４４】
そして打設したコンクリートＣが硬化して、床スラブ付きの鉄筋コンクリート梁ＢＭが形成されたら、図４に示すように、先ず、支保工１４を縮めると、底部の横桟木付き型枠パネル４ａが、コンクリートＣの圧力で押されて図中矢印Ａで示すようにコンクリートＣの表面から離れて、梁型枠ユニット１全体が自重で下降するとともに、補助材１４が各横締付け枠５の縦接続パイプ６ｂ，６ｃの上端部から抜け出して外れ、次いで各横締付け枠５の横通し棒８ａの両端部に取り付けた締付けナット１０を緩めると、両側部の横桟木付き型枠パネル４ｂ，４ｃが、コンクリートＣの圧力で押されて図中矢印Ｂで示すようにコンクリートＣの表面から離れ、その後、さらに支保工１４を縮めて梁型枠ユニット１全体をさらに降下させることで、鉄筋コンクリート梁ＢＭを容易に梁型枠ユニット１から脱型させることができる。
【００４５】
従って、この実施例の場所打ち鉄筋コンクリート梁の施工方法によれば、鉄筋枠への梁型枠ユニット１の配設が極めて容易で、少なくともセパレータ４の配設が不要になり、工期短縮に著しい効果がある。
【００４６】
以上、図示例に基づき説明したが、この発明は上述の例に限定されるものでなく、特許請求の範囲の記載範囲内で適宜変更し得るものであり、例えば、横桟木３や角パイプ１３の、本数や配置、型枠パネル２ａ〜２ｃや接続パイプ６に対する固定の有無は、必要に応じて適宜変更しても良く、例えば接続パイプ６および直角エルボ７を丸パイプで作る場合は、直角エルボ７が横接続パイプ６ａ内で回転して縦接続パイプ６ｂ，６ｃが倒れないように縦接続パイプ６ｂ，６ｃを両側部の横桟木付き型枠パネル４ｂ，４ｃの横桟木３に通常の固定金具で固定したり、横接続パイプ６ａ上で角パイプ１３がずれないように角パイプ１３を横桟木付き型枠パネル４ａに通常の固定金具で固定したりしても良い。
【産業上の利用可能性】
【００４７】
かくして本発明の梁型枠ユニットによれば、梁型枠の建込み（組み立て固定）作業が迅速にできると共に、正確な丁張り（直角出し、垂直・水平出し）ができ、しかも堅固な梁型枠を提供することができる。さらに、現場での鉄筋枠の組筋作業とは別に、梁型枠の組み立て作業のみを工場等において先行させておくこともできるから、現場作業の軽減および工期の短縮にも寄与する。
【００４８】
また、本発明の横締付け枠によれば、太さの異なる多種類の鉄筋コンクリート梁のいずれにも容易に適用できるので、複数種類の横締付け枠を準備する必要がなく、単に１種類のものを用意すれば足りるから、部品の在庫管理が軽減され、コスト的にも有利である。
【００４９】
さらに本発明の横締付け枠によれば、接続パイプと直角エルボとの組み合わせにより上向きに開いたコ字状をなすから、接続パイプと直角エルボとの嵌合部分がコーナー部でなく水平部および垂直部（型枠パネルの中寄り）に位置するので、丁張り、特に直角出しが正確にでき、しかも梁型枠の構築作業が容易になり熟練を必要としない。
【００５０】
そして本発明の場所打ち鉄筋コンクリート梁の施工方法によれば、梁型枠ユニットにセパレータを取付けていないので、鉄筋枠への梁型枠の配設を、鉄筋枠に対して梁型枠ユニットを上昇させて組み合わせるたけで行えるから、この作業を短時間のうちに完了することができ、工期の短縮に効果があるとともにコストの点でも有利である。
【００５１】
なお、本発明は、建築物等の角形の鉄筋コンクリート梁の施工に際して有効な梁型枠ユニットおよび横締付け枠に適用される技術であるが、土木構築物等の施工にも当然、適用が可能である。
【符号の説明】
【００５２】
１  梁型枠ユニット
２ａ  底部の型枠パネル
２ｂ，２ｃ  側部の型枠パネル
３  横桟木
４  横桟木付き型枠パネル組
４ａ  底部の横桟木付き型枠パネル
４ｂ，４ｃ  側部の横桟木付き型枠パネル
５  横締付け枠
６  接続パイプ
６ａ  横接続パイプ
６ｂ，６ｃ  縦接続パイプ
６ｄ  ブラケット
７  直角エルボ
８  通し棒
８ａ  横通し棒
８ｂ，８ｃ  縦通し棒
９  ワッシャ
１０  ナット
１１  パイプ
１２  コイルスプリング
１３  角パイプ
１４  補助材
１５  支保工
１６  床スラブ用型枠パネル
ＢＭ  鉄筋コンクリート梁
【図１】
2010281119.tif 000003
【図２】
2010281119.tif 000004
【図３】
2010281119.tif 000005
【図４】
2010281119.tif 000006
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
鉄筋コンクリート梁を構築するのに用いられる梁型枠ユニットにおいて、
３枚の型枠パネルの各々の外面にその長手方向の全長に亘り複数本の横桟木を横並びに固定するとともにそれらの型枠パネルを溝形に組み合わせて構成した横桟木付き型枠パネル組と、
前記横桟木付き型枠パネル組の長手方向複数個所を位置決めするとともに両側方から締め付けて梁型枠を形成する、各々上向きに開いたコ字状をなす複数の伸縮型横締付け枠と、を具えてなり、
前記横締付け枠は、前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、両腕部が前記縦接続パイプと前記横接続パイプとの内側にそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニット。
【請求項２】
前記横締付け枠の前記接続パイプおよび前記直角エルボは、角形パイプもしくは円形パイプからなることを特徴とする、請求項１記載の梁型枠ユニット。
【請求項３】
前記接続パイプ内には、その接続パイプ内で対向する前記直角エルボの腕部の端部同士の間に介在する梁幅規制用パイプもしくはコイルスプリングを嵌挿することを特徴とする、請求項１記載の梁型枠ユニット。
【請求項４】
前記直角エルボはそのコーナー部に、互いに直交する向きに配設する前記縦通し棒および前記横通し棒用の通孔を有することを特徴とする、請求項１記載の梁型枠ユニット。
【請求項５】
３枚の型枠パネルの各々の外面にその長手方向の全長に亘り複数本の横桟木を横並びに固定するとともにそれらの型枠パネルを溝形に組み合わせて構成した横桟木付き型枠パネル組の長手方向複数個所の各々を位置決めするとともに両側方から締め付けて梁型枠を形成する、上向きに開いたコ字状をなす伸縮型横締付け枠において、
前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、
両腕部が前記縦接続パイプと前記横接続パイプとの内側にそれぞれ抜き差し自在に嵌合され、前記横締付け枠の各コーナー部を構成するように互いに対向する２個の直角エルボと、
それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、
それらの通し棒に取り付けられた締付けナットと、を有し、
前記梁型枠の大きさに応じて前記締付けナットの締付け位置を変更することにより前記直角エルボと前記接続パイプとの嵌合長さを調整できることを特徴とする、梁型枠ユニット用横締付け枠。
【請求項６】
前記横締付け枠の前記接続パイプおよび前記直角エルボは、角形パイプもしくは円形パイプからなることを特徴とする、請求項５記載の梁型枠ユニット用横締付け枠。
【請求項７】
前記接続パイプ内には、その接続パイプ内で対向する前記直角エルボの腕部の端部同士の間に介在する梁幅規制用パイプもしくはコイルスプリングを嵌挿することを特徴とする、請求項５記載の梁型枠ユニット用横締付け枠。
【請求項８】
前記直角エルボはそのコーナー部に、互いに直交する向きに配設する前記縦通し棒および前記横通し棒用の通孔を有することを特徴とする、請求項５記載の梁型枠ユニット用横締付け枠。
【請求項９】
鉄筋枠の周りに梁型枠を設置した後、その内部にコンクリートを打設して鉄筋コンクリート梁を構築する方法において、
先ず、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなる梁型枠ユニットを予め組み上げ、
その組み上がった梁型枠ユニットをそのまま上昇させて前記鉄筋枠に対し下方から組み合わせることにより、前記鉄筋枠への前記梁型枠の配設を行い、
前記伸縮型横締付け枠は、
前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、
両腕部が前記縦接続パイプと前記横接続パイプとの内側にそれぞれ抜き差し自在に嵌合され、前記横締付け枠の各コーナー部を構成するように互いに対向する２個の直角エルボと、
それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、
それらの通し棒に取り付けられた締付けナットと、を有し、
前記梁型枠の大きさに応じて前記締付けナットの締付け位置を変更することにより前記直角エルボと前記接続パイプとの嵌合長さを調整できるものであることを特徴とする、場所打ち鉄筋コンクリート梁の施工方法。
【手続補正２】
【補正対象書類名】明細書
【補正対象項目名】００１６
【補正方法】変更
【補正の内容】
【００１６】
即ち、本発明は、鉄筋コンクリート梁を構築するのに用いられる梁型枠ユニットにおいて、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなり、前記横締付け枠は、前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、両腕部が前記縦接続パイプと前記横接続パイプとの内側にそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニットを提案する。
【手続補正３】
【補正対象書類名】明細書
【補正対象項目名】００１７
【補正方法】変更
【補正の内容】
【００１７】
また、本発明は、３枚の型枠パネルの各々の外面にその長手方向の全長に亘り複数本の横桟木を横並びに固定するとともにそれらの型枠パネルを溝形に組み合わせて構成した横桟木付き型枠パネル組の長手方向複数個所の各々を位置決めするとともに両側方から締め付けて梁型枠を形成する、上向きに開いたコ字状をなす伸縮型横締付け枠において、前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、両腕部が前記縦接続パイプと前記横接続パイプとの内側にそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できることを特徴とする、梁型枠ユニット用横締付け枠を提案する。
【手続補正４】
【補正対象書類名】明細書
【補正対象項目名】００１８
【補正方法】変更
【補正の内容】
【００１８】
さらに、本発明は、鉄筋枠の周りに梁型枠を設置した後、その内部にコンクリートを打設して鉄筋コンクリート梁を構築する方法において、先ず、３枚の型枠パネルの各々の外面にその長手方向の全長に亘り複数本の横桟木を横並びに固定するとともにそれらの型枠パネルを溝形に組み合わせて構成した横桟木付き型枠パネル組と、前記横桟木付き型枠パネル組の長手方向複数個所を位置決めするとともに両側方から締め付けて梁型枠を形成する、各々上向きに開いたコ字状をなす複数の伸縮型横締付け枠と、を具えてなる梁型枠ユニットを予め組み上げ、その組み上がった梁型枠ユニットをそのまま上昇させて前記鉄筋枠に対し下方から組み合わせることにより、前記鉄筋枠への前記梁型枠の配設を行い、前記伸縮型横締付け枠は、前記横桟木付き型枠パネル組のうち底部の型枠パネルに沿って配置されてその底部の型枠パネルを支持する１本の横接続パイプと、前記横桟木付き型枠パネル組のうち両側部の型枠パネルに沿ってそれぞれ配置されてそれら両側部の型枠パネルを支持する２本の縦接続パイプとの３本の接続パイプと、両腕部が前記縦接続パイプと前記横接続パイプとの内側にそれぞれ抜き差し自在に嵌合され、前記横締付け枠の各コーナー部を構成するように互いに対向する２個の直角エルボと、それらの直角エルボの各々とその直角エルボが嵌合された前記縦接続パイプとを貫通する２本の縦通し棒と、前記２個の直角エルボとそれらの直角エルボが嵌合された前記横接続パイプとを貫通する１本の横通し棒との３本の通し棒と、それらの通し棒に取り付けられた締付けナットと、を有し、前記梁型枠の大きさに応じて前記締付けナットの締付け位置を変更することにより前記直角エルボと前記接続パイプとの嵌合長さを調整できるものであることを特徴とする、場所打ち鉄筋コンクリート梁の施工方法を提案する。
【手続補正５】
【補正対象書類名】明細書
【補正対象項目名】００２４
【補正方法】変更
【補正の内容】
【００２４】
（５）そして本発明の場所打ち鉄筋コンクリート梁の施工方法によれば、梁型枠ユニットにセパレータを取付けていないので、鉄筋枠への梁型枠の配設を、鉄筋枠に対して梁型枠ユニットを上昇させて組み合わせるだけで行えるから、この作業を短時間のうちに完了することができ、工期の短縮に効果があるとともにコストの点でも有利である。
【手続補正６】
【補正対象書類名】明細書
【補正対象項目名】００３０
【補正方法】変更
【補正の内容】
【００３０】
この横締付け枠５は、各接続パイプ６内に嵌挿する直角エルボ７の嵌め込み深さ、即ち横接続パイプ６ａおよび縦接続パイプ６ｂと直角エルボ７の各腕部との嵌合長さを調節することにより、一辺の長さを、型枠パネル２ａ〜２ｃの大きさの変更を伴うものの、施工する鉄筋コンクリート梁の太さに自由に対応させることができ、例えば６００×８００ｍｍ、７５０×１０００ｍｍ、９００×１２００ｍｍ等の梁の何れにも使用することができるようになる。それゆえ少なくとも、接続パイプ６および直角エルボ７として、１種類のものを準備しておけば、ほとんどの鉄筋コンクリート梁の施工に対応することができ、さらに太い梁用には、接続パイプ６をより長いものに交換すれば足りる。従って、この横締付け枠５によれば、部品点数を少なくすることができるから、在庫管理が容易になる。
【手続補正７】
【補正対象書類名】明細書
【補正対象項目名】００４２
【補正方法】変更
【補正の内容】
【００４２】
そして、組み上った梁型枠ユニット１をクレーンやフォークリフト等で持ち上げて、上記鉄筋枠にその下方からそのまま上昇させて嵌め合わせた後、図１に示すように、例えば各横締付け枠５の各直角エルボ７のコーナー部を通常の伸縮式支保工１５で下方から支持することにより梁型枠の施工を行うとともに（鉄筋枠は図示せず）、好ましくは各横締付け枠５の縦接続パイプ６ｂ，６ｃの上端部に例えばバタ材からなる矩形の厚板状の補助材１４を嵌め合わせてセットしておき、次いで、通常の床スラブ用型枠パネル１６を施工して、その床スラブ用型枠パネル１６を上記各補助材１４に釘打等で接続する。なお、床スラブ用型枠パネル１６は、現場で図示しない横桟木等を組み付けて補強しても良いが、予め工場において横桟木等を組み付けてユニット化したものを現場に輸送して、所定位置に配置しても良い。
【手続補正８】
【補正対象書類名】明細書
【補正対象項目名】００４３
【補正方法】変更
【補正の内容】
【００４３】
その後、図３に示すように、この梁型枠ユニット１内および床スラブ用型枠パネル１６上にコンクリートＣを打設する。このコンクリートＣの打設の際、この実施例の施工方法によれば、各横締付け枠５の縦接続パイプ６ｂ，６ｃの上端部を、補助材１４を介して床スラブ用型枠パネル１６に接続して位置決めしているので、コンクリートＣの圧力による各横締付け枠５の縦接続パイプ６ｂ，６ｃの上端部間の開きを、より確実に防止することができる。
【手続補正９】
【補正対象書類名】明細書
【補正対象項目名】００４４
【補正方法】変更
【補正の内容】
【００４４】
そして打設したコンクリートＣが硬化して、床スラブ付きの鉄筋コンクリート梁ＢＭが形成されたら、図４に示すように、先ず、支保工１５を縮めると、底部の横桟木付き型枠パネル４ａが、コンクリートＣの圧力で押されて図中矢印Ａで示すようにコンクリートＣの表面から離れて、梁型枠ユニット１全体が自重で下降するとともに、補助材１４が各横締付け枠５の縦接続パイプ６ｂ，６ｃの上端部から抜け出して外れ、次いで各横締付け枠５の横通し棒８ａの両端部に取り付けた締付けナット１０を緩めると、両側部の横桟木付き型枠パネル４ｂ，４ｃが、コンクリートＣの圧力で押されて図中矢印Ｂで示すようにコンクリートＣの表面から離れ、その後、さらに支保工１５を縮めて梁型枠ユニット１全体をさらに降下させることで、鉄筋コンクリート梁ＢＭを容易に梁型枠ユニット１から脱型させることができる。
【手続補正１０】
【補正対象書類名】明細書
【補正対象項目名】００５０
【補正方法】変更
【補正の内容】
【００５０】
そして本発明の場所打ち鉄筋コンクリート梁の施工方法によれば、梁型枠ユニットにセパレータを取付けていないので、鉄筋枠への梁型枠の配設を、鉄筋枠に対して梁型枠ユニットを上昇させて組み合わせるだけで行えるから、この作業を短時間のうちに完了することができ、工期の短縮に効果があるとともにコストの点でも有利である。